(57)【要約】【課題】通話中のタッチパネルの誤動作を回避することができる携帯端末を提供する。【解決手段】携帯端末１は、表示と入力との双方の機能を備えるタッチパネル１４と、音声を出力するためのレシーバ１５と、音声を入力するためのマイクロフォン１６とを備え、レシーバ１５とマイクロフォン１６とは、タッチパネル１４と反対面に配置される。携帯端末１が着呼し、ユーザがタッチパネル１４を押下してオフフックして通話を開始すると同時に、主制御部３０は、記憶部３９に格納されている表示設定テーブルを参照し、ユーザによりあらかじめ設定されている表示設定を取得する。設定されている表示設定が「動画表示」の場合、表示制御部３４はディスプレイ３５へ対応する動画を表示させる。表示設定が「音量表示」の場合、表示制御部３４はディスプレイ３５へ音量調節画面を表示する。表示設定が「動画表示」または「音量表示」でない場合、表示設定は「表示ＯＦＦ」となり、表示制御部３４はディスプレイ３５への表示をＯＦＦにする。【選択図】  図２
2011082724.tif 000002
【特許請求の範囲】
【請求項１】
文字及び画像を表示する表示手段および前記表示手段へ接触することにより入力を検知する検知手段を有するタッチパネルと、
音声を出力するレシーバと、
音声を入力するマイクロフォンと
を具備する携帯端末であって、
前記レシーバおよび前記マイクロフォンは、前記タッチパネルと反対面に配置される、
ことを特徴とする携帯端末。
【請求項２】
前記タッチパネルは、通話中に所定の画像を表示する、およびまたは通話中に通話に関する入力操作が可能であるよう構成される、
ことを特徴とする請求項１記載の携帯端末。
【請求項３】
前記通話に関する入力操作は、音量の調整操作または消音操作であるよう構成される、
ことを特徴とする請求項２記載の携帯端末。
【請求項４】
通話中に表示する前記所定の画像は、動画または音量調節画面である、
ことを特徴とする請求項２〜３のいずれかに記載の携帯端末。
【発明の詳細な説明】
【技術分野】
【０００１】
本発明は、携帯電話等の携帯端末に係り、特にタッチパネルを備えた携帯端末に関する。
【背景技術】
【０００２】
携帯電話機をはじめとする携帯端末には、ユーザからの操作指示を受け付けるための種々の入力装置が搭載されている。この入力装置のうち、タッチパネル等、直感的な動作で操作指示を入力することができるものも最近使われている。このタッチパネルは、操作面に対する接触に伴う静電容量や接触圧力の変化を感知するタッチセンサにより得られた入力位置情報に基づいて、操作指示を受け付けるようになっている。
【０００３】
タッチパネルが搭載されている携帯電話機は、その構成上特に通話中に誤動作が起きやすいため、従来から様々な誤動作回避技術が検討されている。例えば、通話時に顔や耳がタッチパネルに近づくと、タッチパネル近傍にある近接センサが感知し、タッチパネルをロックして入力を受け付けなくするといった技術がある。
【０００４】
特許文献１には、通話中におけるタッチパネルの誤動作を回避するために、通話中でのタッチパネルの入力有効エリアを制限する携帯電話機の技術が開示されている。
【先行技術文献】
【特許文献】
【０００５】
【特許文献１】特開２０００−３４９８８６号公報
【発明の概要】
【発明が解決しようとする課題】
【０００６】
従来、タッチパネルが搭載されている携帯端末には、音声出力のレシーバと音声入力のマイクロフォンが、タッチパネルと同一面に備えられている。そのため、通話中にタッチパネルが顔や耳に当たり、タッチセンサが感知して誤動作してしまう場合や、タッチパネルが化粧品や皮脂で汚れる場合もある。
【０００７】
本発明はこのような点を考慮してなされたもので、通話中のタッチパネルの誤動作を回避することができる携帯端末を提供することを目的とする。
【課題を解決するための手段】
【０００８】
本発明に係る携帯端末は、文字及び画像を表示する表示手段および前記表示手段へ接触することにより入力を検知する検知手段を有するタッチパネルと、音声を出力するレシーバと、音声を入力するマイクロフォンとを具備する携帯端末であって、前記レシーバおよび前記マイクロフォンは、前記タッチパネルと反対面に配置される、ことを特徴とする。
【発明の効果】
【０００９】
本発明に係る携帯端末によれば、通話中のタッチパネルの誤動作を回避することができる。
【図面の簡単な説明】
【００１０】
【図１】本発明の一実施形態に係る携帯端末の斜視図。
【図２】同上の実施形態における携帯端末の概略構成を示すブロック図。
【図３】同上の実施形態における携帯端末をユーザが持って通話している時の概略図。
【図４】同上の実施形態における携帯端末の、通話中におけるタッチパネルの表示動作を示すフローチャート。
【図５】同上の実施形態における、記憶部内の表示設定の設定項目の一例を示す図。
【図６】同上の実施形態における携帯端末の、ディスプレイへ音量調整画面を表示した際の詳細動作を示すフローチャート。
【図７】同上の実施形態における、音量調整画面の一例を示す図。
【発明を実施するための形態】
【００１１】
以下、本発明の実施形態を添付図面に基づいて説明する。本発明を適用する携帯端末として、ユーザがディスプレイを指で触れることで操作指示を入力することができる携帯端末を例に挙げて説明する。
【００１２】
図１は、本発明に係る携帯端末１の実施形態を示す外観斜視図であり、（Ａ）は操作面である正面であり、（Ｂ）は（Ａ）の背面で操作面と反対側となる面である。
【００１３】
携帯端末１は、矩形の板状の筐体１１を備える。この筐体１１の一方の正面（図１（Ａ））には、タッチパネル１４が大部分を占めて構成される。
【００１４】
このタッチパネル１４は、表示および入力の双方の機能を備える。タッチパネル１４は、ディスプレイ（図２のディスプレイ３５）と、上面に複数配置された接触動作を検出するための素子およびさらにその上に積層された透明な操作面（図２のタッチセンサ３３）で構成される。
【００１５】
ディスプレイ（表示部）としてのタッチパネル１４は、文字や画像などからなる表示画面を表示する領域を備える。このディスプレイは、例えばＬＣＤ（Ｌｉｑｕｉｄ  Ｃｒｙｓｔａｌ  Ｄｉｓｐｌａｙ）、有機ＥＬ（ＥｌｅｃｔｒｏＬｕｍｉｎｅｓｃｅｎｃｅ）ディスプレイ、無機ＥＬディスプレイで構成される。
【００１６】
タッチセンサ（入力部）としてのタッチパネル１４は、操作面に対して接触する接触物の動作を検出することにより指示を受け付ける。接触物としては、例えばユーザの指やスタイラスペンなどが該当する。タッチパネル１４上で接触物の動作を検知する方法には、圧力の変化を感知する感圧式、静電気による電気信号を感知する静電式、その他の方法を適用することができる。接触物の動作は、接触が行われた位置を示す座標の情報で検出される。この情報は、例えばタッチパネル１４の短辺方向および長手方向の二軸上の座標値で表わされる。
【００１７】
タッチパネル１４のある操作面と反対側の背面（図１（Ｂ））には、筐体１１の長手方向における対向位置に、音声を入力するためのマイクロフォン１６と、音声を出力するためのレシーバ１５、およびカメラ１７とがそれぞれ配置される。
【００１８】
音声発信または着信時において、ユーザはレシーバ１５およびマイクロフォン１６が実装されている背面（図１（Ｂ））を、顔に近づけて通話を行う。このとき、タッチパネル１４は顔と反対側の面、つまり持ち手側の面を向くことになるので、顔や耳によるタッチパネル１４の誤動作や汚れを防ぐことができる。図３に、ユーザが携帯端末１を持って通話している時の概略図を示す。タッチパネル１４が持ち手の掌側にあるため、ユーザは通話中に、タッチパネル１４に対し持ち手の指で音量調整、ミュート等といった操作が可能である。また、通話中、タッチパネル１４は外向きになっており、タッチパネル１４上にアニメーション等の動画を表示させてもよい。
【００１９】
図２は、本実施形態における携帯端末１の主な機能構成を示す概略的な機能ブロック図である。携帯端末１は、主制御部３０、電源回路部３１、入力制御部３２、表示制御部３４、音声制御部３６、通信制御部３７、情報記憶媒体３８、記憶部３９がバスによって相互に通信可能に接続されて構成されている。
【００２０】
主制御部３０は、ＣＰＵ（Ｃｅｎｔｒａｌ  Ｐｒｏｃｅｓｓｉｎｇ  Ｕｎｉｔ）を具備する。主制御部３０は、情報処理媒体２８に記憶された各種プログラムに基づき動作して、携帯端末１の総括的な制御を行う。
【００２１】
電源回路部３１は、電力供給源（バッテリ等）を備え、所定の操作キーを介した入力に基づいて携帯端末１の電源のＯＮ／ＯＦＦ状態を切り替える。電源回路部３１は、電源がＯＮ状態の場合に電力供給源から各部に対して電力を供給して、携帯端末１を動作可能にする。
【００２２】
入力制御部３２はタッチセンサ３３に対する入力インタフェースを備える。入力制御部３２は、タッチセンサ３３からの検知信号を入力位置の座標を示す情報として受け取り、その入力を示す信号を生成して主制御部３０に伝送する。
【００２３】
表示制御部３４はディスプレイ３５に対する表示インタフェースを備える。表示制御部３４は、主制御部３０の制御に基づいて、文書データや画像信号に基づいた画像等をディスプレイ３５に表示させる。また通話中においては、記憶部３９に格納された表示設定（後述する）に従ってディスプレイ３５に表示させる。
【００２４】
音声制御部３６は、主制御部３０の制御に基づいて、マイクロフォン１６で集音された音声からアナログ音声信号を生成し、このアナログ音声信号をデジタル音声信号に変換する。また音声制御部３６は、デジタル音声信号を取得すると、主制御部３０の制御に基づいて、このデジタル音声信号をアナログ音声信号に変換し、レシーバ１５から音声として出力する。
【００２５】
通信制御部３７は、主制御部３０の制御に基づいて、基地局からアンテナ３７ａを介して受信した受信信号を処理してデータを復元する。このデータは、主制御部３０の指示により、音声制御部３６に伝送されてレシーバ１５から出力されたり、表示制御部３４に伝送されてディスプレイ３５に表示されたり、または記憶部３９に記録されたりする。また通信制御部３７は、主制御部３０の制御に基づいて、マイクロフォン１６で集音された音声データやタッチセンサ３３で検知した入力データや記憶部３９に記憶されたデータを取得すると、これらのデータの処理を行い、基地局に対してアンテナ３７ａを介して送信する。
【００２６】
情報記憶媒体３８（コンピュータにより読み取り可能な媒体）は、プログラムやデータなどを格納するものであり、その機能は、ハードディスク、或いはメモリ（Ｆｌａｓｈ Ｍｅｍｏｒｙ、ＲＯＭ：Ｒｅａｄ  Ｏｎｌｙ  Ｍｅｍｏｒｙ）などにより実現できる。情報記憶媒体３８は、本実施形態の各部としてコンピュータを機能させるためのプログラム（各部の処理をコンピュータに実行させるためのプログラム）、複数のアプリケーション等が記憶される。
【００２７】
記憶部３９は、主制御部３０や通信制御部３７などのワーク領域となるもので、その機能はＲＡＭ（Ｒａｎｄｏｍ  Ａｃｃｅｓｓ  Ｍｅｍｏｒｙ）などにより実現できる。また記憶部３９は、通話中のタッチパネル１４における表示について、音量表示や動画表示、あるいは表示ＯＦＦ等、ユーザが設定可能な表示設定と対応する表示画面のテーブル（表示設定テーブル）を格納している。図５に、表示設定テーブルの一例を示す。
【００２８】
次に、通話中のタッチパネル１４の表示動作について、図４のフローチャートを参照して説明する。携帯端末１が着呼し（ステップＳ１０１）、ユーザがタッチパネル１４上の発話ボタンを押下してオフフックすると（ステップＳ１０３で「Ｙｅｓ」）、主制御部３０は通話を開始する（ステップＳ１０５）。ステップＳ１０５で通話を開始すると同時に、主制御部３０は、記憶部３９に格納されている表示設定テーブルを参照し、ユーザによりあらかじめ設定されている表示設定を取得する（ステップＳ１０７）。
【００２９】
設定されている表示設定が「動画表示」の場合（ステップＳ１０９で「Ｙｅｓ」）、表示制御部３４はディスプレイ３５へ、対応する動画（図５の表示設定テーブルではアニメーションＡの画面）を表示させる（ステップＳ１１１）。設定されている表示設定が「音量表示」の場合（ステップＳ１１３で「Ｙｅｓ」）、表示制御部３４はディスプレイ３５へ音量調節画面を表示する（ステップＳ１１５）。ステップＳ１０９およびステップＳ１１３で「Ｎｏ」の場合、表示設定は「表示ＯＦＦ」となり、表示制御部３４はディスプレイ３５への表示をＯＦＦにする（ステップＳ１１７）。
【００３０】
図６に、ディスプレイ３５へ音量調整画面を表示した際のフローチャートを示し、図７にその時の画面の例を示す。図４のステップＳ１１５により、ディスプレイ３５には音量調整画面およびミュート調節画面が表示されている。ユーザが例えばディスプレイ３５上の音量調節部分を上または下にフリックして（なぞって）、音量上下の操作を行うと（ステップＳ２０１）、音声制御部３６はレシーバ１５の出力を変更して音量を変更する（ステップＳ２０３）。ユーザが例えばディスプレイ３５上のミュート調節画面部分をタップして、音量をミュートする操作を行うと（ステップＳ２０１）、音声制御部３６はレシーバ１５の出力を０にして音量をミュートする（ステップＳ２０５）。
【００３１】
なお、表示設定が「動画表示」または「音量表示」の場合、タッチパネル１４に表示されている画面の任意の位置に「録音」ボタンを設け、ユーザの所望する時に「録音」ボタンを押下するようにしてもよい。
【００３２】
以上本発明によれば、タッチパネル１４と、レシーバ１５およびマイクロフォン１６の実装面を、同じ面ではなく反対の面にすることにより、通話中における顔や耳によるタッチパネル１４への誤動作や、タッチパネル１４の汚れを防ぐことができる。また、ユーザは通話中にタッチパネル１４での操作を行うことができる。また通話中にタッチパネル１４が外向きになっているので、タッチパネル１４に動画を表示させてもよい。
【００３３】
以上、本発明の実施形態について図面を参照して詳述してきたが、具体的な構成はこの実施形態に限られるものではなく、本発明の要旨を逸脱しない範囲の設計変更等も含まれる。
【００３４】
例えば、上記実施形態では、携帯端末の入力部をタッチパネルのみの構成にしたが、ハードキーをタッチパネル側に有する構成とし、通話中にユーザがタッチパネルと共にハードキーも操作可能な構成にしても良い。
【符号の説明】
【００３５】
１…携帯端末、１１…筐体、１４…タッチパネル、１５…レシーバ、１６…マイクロフォン、１７…カメラ、３０…主制御部、３１…電源回路部、３２…入力制御部、３３…タッチセンサ、３４…表示制御部、３５…ディスプレイ、３６…音声制御部、３７…通信制御部、３８…情報記憶媒体。
【図１】
2011082724.tif 000003
【図２】
2011082724.tif 000004
【図３】
2011082724.tif 000005
【図４】
2011082724.tif 000006
【図５】
2011082724.tif 000007
【図６】
2011082724.tif 000008
【図７】
2011082724.tif 000009